Podtech/llm-jp-corpus-v4-ja_patent huggingface dataset:
【手続補正書】
【提出日】平成15年6月10日(2003.6.10)
【手続補正１】
【補正対象書類名】明細書
【補正対象項目名】特許請求の範囲
【補正方法】変更
【補正の内容】
【特許請求の範囲】
【請求項１】
外側表面と、中央ハブ領域内に円形配列で設けられた複数の露出ラグ穴と、該ラグ穴から半径方向内側に離れた位置で側部を貫通した(extending into a side)ほぼ円形の切り込み凹部とを有するホィールを備えており、前記ホィールの前記側部は、前記複数の露出ラグ穴に面しており、さらに
前記ホィールの前記外側表面に一致した本体を有するホィールクラッディングとを備えており、該クラッディングは、露出した装飾的外側表面、および前記クラッディングを前記ホィールに取り付けた時、前記ホィールに面する内側表面を有しており、前記クラッディングには、前記内側表面から延出して、前記ホィールの前記切り込み凹部にロック可能にはまることによって、前記クラッディングを前記ホィールに保持できるようにする複数のスナップロック式タブが設けられている複合ホィール。
【請求項２】
前記クラッディングおよび前記ホィール間に延在する接着剤をさらに備えた請求項１記載の複合ホィール。
【請求項３】
前記接着剤はシリコン材である請求項２記載の複合ホィール。
【請求項４】
前記接着剤は二液型ウレタンである請求項２記載の複合ホィール。
【請求項５】
前記接着剤はエポキシである請求項２記載の複合ホィール。
【請求項６】
外側表面と、中央ハブ領域を取り囲む円形配列で設けられた複数の露出ラグ穴と、該ラグ穴に半径方向内側に離れて面する側部を貫通した少なくとも１つの切り込み凹部とを有するホィールに使用されるホィールクラッディングであって、
覆うべきホィールの外側表面にほぼ一致した高分子本体を備えており、該本体には、ハブと、該ハブを取り囲む円形配列で設けられたラグ収容穴とが設けられ、また、露出した装飾的外側表面、および前記ホィールに取り付けた時、前記ホィールに面する内側表面を備えており、さらに、該内側表面から延出して、ホィールの前記切り込み凹部にロック可能にはまることによって、ホィールに保持できるようにする複数のスナップロック式タブを備えており、該タブは、前記ラグ収容穴から半径方向内側に離れているホィールクラッディング。
【請求項７】
前記高分子材料は、それぞれポリカーボネート約６０％〜約７０％およびＡＢＳ約４０％〜約３０％の配合物である請求項６記載のクラッディング。
【請求項８】
前記外側表面は金属材料でメッキされている請求項６記載のクラッディング。
【請求項９】
前記金属材料はクロムである請求項８記載のクラッディング。
【請求項１０】
前記外側表面は塗装されている請求項６記載のクラッディング。
【請求項１１】
前記塗装は装飾的である請求項１０記載のクラッディング。
【請求項１２】
前記塗装はペンキである請求項１１記載のクラッディング。
【請求項１３】
装飾クラッディングを受け取ることができる車両用ホィールであって、
中央ハブおよび外側表面を有するホィールと、
前記中央ハブを取り囲む円形配列で設けられた複数の露出ラグ穴とを備えており、前記外側表面は、前記円形配列のラグ穴に面する少なくとも１つのほぼ円形の側壁を形成しており、さらに、
前記ホィールの前記側壁を貫通して(extending into)、ホィールクラッディングのロックタブを受け取ることができる少なくとも１つの切り込み凹部を備えており、該切り込み凹部は、前記ラグ穴から半径方向内側に離れた側壁に形成されている車両用ホィール。
【請求項１４】
外側表面と、中央ハブを取り囲む円形配列で設けられた複数の露出ラグ穴とを有する金属ホィールを備えており、前記中央ハブには、前記複数の露出ラグ穴に面し、前記ラグ穴から半径方向内側に離れた位置で前記側壁を貫通した切り込み凹部を有する、円形側壁が設けられており、さらに、
前記ホィールの前記外側表面に一致した本体を有する高分子ホィールクラッディングを備えており、該クラッディングは、露出した装飾的外側表面、および前記クラッディングを前記ホィールに取り付けた時、前記ホィールに面する内側表面を有しており、前記クラッディングには、前記内側表面から延出して、前記ホィールの前記切り込み凹部にロック可能にはまることによって、前記クラッディングを前記ホィールに保持できるようにする複数のスナップロック式タブが設けられている複合ホィール。
【請求項１５】
前記装飾的外側表面は装飾的表面で被覆されている請求項１４記載の複合ホィール。
【請求項１６】
前記クラッディングおよび前記ホィール間に延在する接着剤をさらに備えた請求項１４記載の複合ホィール。
【請求項１７】
前記高分子材料は、それぞれポリカーボネート約６０％〜約７０％およびＡＢＳ約４０％〜約３０％の配合物である請求項１４記載の複合ホィール。
【請求項１８】
前記切り込み凹部は円形である請求項１４記載の複合ホィール。
【手続補正書】
【提出日】平成16年3月10日(2004.3.10)
【手続補正１】
【補正対象書類名】明細書
【補正対象項目名】００３２
【補正方法】変更
【補正の内容】
【００３２】
選択的には、内管と外管との間隔は、実用上非常に狭く、0.4cm、0.3cm、又は丁度0.1cm、或いは数ミリメートルが好ましい。狭い間隔はより良い作用を引き起こすと考えられる一方で、狭すぎる間隔は、適切な光を生成する充分な放電量を生成できない。広い間隔も可能であり、特に短い管で可能である。
【手続補正書】
【提出日】平成17年4月15日(2005.4.15)
【手続補正１】
【補正対象書類名】特許請求の範囲
【補正対象項目名】全文
【補正方法】変更
【補正の内容】
【特許請求の範囲】
【請求項１】
画像データに対応する所定の大きさの電源が選択的に印加されるようにする電源供給手段と、
有効ディスプレイ領域に形成され、 前記電源が印加されるアノード電極と、
前記アノード電極の上面に形成される有機発光層と、
前記有効ディスプレイ領域にあたる前記有機発光層の上面に形成されるカソード電極と、
前記カソード電極と一側が接触し、他側は前記有効ディスプレイ領域を囲む非有効ディスプレイ領域にまで延長された電源伝達手段と、
を含む有機電界発光デバイス。
【請求項２】
前記電源伝達手段のうち前記カソード電極及び外部端子と接続される部分を開口させる絶縁手段をさらに含むことを特徴とする請求項１記載の有機電界発光デバイス。
【請求項３】
前記有効ディスプレ領域は前記有機発光層を酸素、水分に対して隔離する遮蔽手段を含むことを特徴とする請求項１記載の有機電界発光デバイス。
【請求項４】
前記遮蔽手段は、前記有機発光層を酸素、水分と隔離させる金属缶を含むことを特徴とする請求項３記載の有機電界発光デバイス。
【請求項５】
前記カソード電極は、前記遮蔽手段によって隔離された前記有効ディスプレ領域内部で前記電源伝達手段と電気的に連結されることを特徴とする請求項３記載の有機電界発光デバイス。
【請求項６】
前記電源伝達手段は、導電性薄膜であることを特徴とする請求項１記載の有機電界発光デバイス。
【請求項７】
前記電源供給手段は、薄膜トランジスタであることを特徴とする請求項１記載の有機電界発光デバイス。
【請求項８】
前記絶縁手段は、絶縁薄膜であることを特徴とする請求項２記載の有機電界発光デバイス。
【請求項９】
有効ディスプレイ領域にマトリックス形態に形成され、電源供給手段によって画像データに対応する所定の大きさの電源が選択的に印加されるアノード電極を形成する段階と、
前記アノード電極の上面に所定の波長の光を発生させる有機発光層を形成する段階と、
前記有効ディスプレ領域に一側端部が位置し前記有効ディスプレイ領域を囲む非有効ディスプレイ領域に他側端部が位置するように電源伝達パターンを形成する段階と、
前記電源伝達パターンのうち前記有効ディスプレイ領域及び非有効ディスプレイ領域の一部のみが露出されるように前記電源伝達パターンを絶縁する段階と、
前記有機発光層の上面を被覆すると同時に前記電源伝達パターンと電気的に接続されるように前記有効ディスプレ領域に形成されるカソード電極電極を形成する段階と、
前記有効ディスプレイ領域が密封されるように遮蔽手段を設置する段階と、
を含む有機電界発光デバイスの製造方法。
【請求項１０】
前記遮蔽手段は、前記有機発光層を酸素、水分と隔離させる金属缶であることを特徴とする請求項９記載の有機電界発光デバイスの製造方法。
【請求項１１】
前記電源伝達手段は、導電性薄膜であることを特徴とする請求項９記載の有機電界発光デバイスの製造方法。
【請求項１２】
相互絶縁されたゲートライン及びデータラインが交差する領域に形成され、前記ゲートラインに接続された第１ゲート電極、前記データラインに接続された第1ソース電極を含むスイッチングトランジスタ、前記スイッチングトランジスタの第１ドレイン電極に接続された第２ゲート電極を有する駆動用トランジスタ、前記第１ドレイン電極に並列接続された第１電極を含む画像保持用キャパシタンス、前記第１電極と対向する第２電極及び前記駆動用トランジスタの第２ソース電極に接続されたバイアスラインを含む電源供給ユニットと、
有効ディスプレイ領域に形成され、前記駆動用トランジスタの第２ドレイン電極に接続されたアノード電極と、
前記アノード電極の上面に形成される有機発光層と、
前記有効ディスプレイ領域に当る前記有機発光層の上面に形成されるカソード電極と、
前記カソード電極と一側が接触し他側は前記有効ディスプレイ領域を囲む非有効ディスプレイ領域にまで延長された電源伝達手段と、
を含むことを特徴とする有機電界発光デバイス。
【請求項１３】
前記電源伝達手段のうち前記カソード電極及び外部端子と接続される部分を開口させる絶縁手段をさらに含むことを特徴とする請求項１２記載の有機電界発光デバイス。
【請求項１４】
前記有効ディスプレイ領域は、前記有機発光層を酸素、水分に対して隔離する遮蔽手段を含むことを特徴とする請求項１２記載の有機電界発光デバイス。
【請求項１５】
前記遮蔽手段は、前記有機発光層を酸素、水分と隔離させる金属缶を含むことを特徴とする請求項１４記載の有機電界発光デバイス。
【請求項１６】
前記カソード電極は、前記遮蔽手段によって隔離された前記有効ディスプレイ領域内部で前記電源伝達手段と電気的に接続されることを特徴とする請求項１４記載の有機電界発光デバイス。
【請求項１７】
前記電源伝達手段は、導電性薄膜であることを特徴とする請求項１２記載の有機電界発光デバイス。
【請求項１８】
前記絶縁手段は、絶縁薄膜であることを特徴とすると請求項１３記載の有機電界発光デバイス。
【手続補正２】
【補正対象書類名】明細書
【補正対象項目名】００１９
【補正方法】変更
【補正の内容】
【００１９】
このような本発明の第１の目的を具現するために本発明は画像データに対応する所定の大きさの電源が選択的に印加されるようにする電源供給手段と、有効ディスプレイ領域に形成され、 前記電源が印加されるアノード電極と、前記アノード電極の上面に形成される有機発光層と、前記有効ディスプレイ領域にあたる前記有機発光層の上面に形成されるカソード電極と、前記カソード電極と一側が接触し、他側は前記有効ディスプレイ領域を囲む非有効ディスプレイ領域にまで延長された電源伝達手段とを含む有機電界発光デバイスを提供することにある。
【手続補正３】
【補正対象書類名】明細書
【補正対象項目名】００２０
【補正方法】変更
【補正の内容】
【００２０】
本発明の第２の目的を具現するために、本発明は有効ディスプレイ領域にマトリックス形態に形成され、電源供給手段によって画像データに対応する所定の大きさの電源が選択的に印加されるアノード電極を形成する段階と、前記アノード電極の上面に所定の波長の光を発生させる有機発光層を形成する段階と、前記有効ディスプレ領域に一側端部が位置し前記有効ディスプレイ領域を囲む非有効ディスプレイ領域に他側端部が位置するように電源伝達パターンを形成する段階と、前記電源伝達パターンのうち前記有効ディスプレイ領域及び非有効ディスプレイ領域の一部のみが露出されるように前記電源伝達パターンを絶縁する段階と、前記有機発光層の上面を被覆すると同時に前記電源伝達パターンと電気的に接続されるように前記有効ディスプレ領域に形成されるカソード電極電極を形成する段階と、前記有効ディスプレイ領域が密封されるように遮蔽手段を設置する段階とを含む有機電界発光デバイスの製造方法を提供することにある。
【手続補正書】
【提出日】平成17年2月25日(2005.2.25)
【手続補正１】
【補正対象書類名】特許請求の範囲
【補正対象項目名】全文
【補正方法】変更
【補正の内容】
【特許請求の範囲】
【請求項１】
暗号化されたコンテンツを有するメディアのバリデーション・エリア（ＶＡ）領域からバリデーション・データを読み取ること、
バリデーション・データからキーイング・マテリアルを導出することによって、暗号化されたコンテンツの解読に使用されるキーイング・マテリアルを判定すること、
暗号化されたコンテンツを解読するのにキーイング・マテリアルを使用することと
を含む方法。
【請求項２】
メディアのバリデーション・エリア（ＶＡ）領域内にバリデーション・データが存在するかどうかを判定することによって、暗号化されたコンテンツを有するメディアがバリデーテッド・メディアであるかどうかを判定すること、
メディアがバリデーテッド・メディアである場合に、バリデーション・エリアからキーイング・マテリアルを導出することによって、暗号化されたコンテンツを解読するのに使用されるキーイング・マテリアルを判定すること、
キーイング・マテリアルを検証することと
を含む方法。
【請求項３】
バリデーション・データがメディアのバリデーション・エリア（ＶＡ）領域に存在するかどうかを判定することによって、暗号化されたコンテンツを有するメディアがバリデーテッド・メディアであるかどうかを判定することであって、メディアが、さらに、メディアの非ＶＡ領域に書き込まれたキーイング・マテリアルを有する、判定すること、
メディアが、バリデーテッド・メディアである場合に、バリデーション・データとキーイング・マテリアルとが対応するかどうかを判定すること、
バリデーション・データとキーイング・マテリアルとが対応する場合に、暗号化されたコンテンツを解読するのに非ＶＡ領域内のキーイング・マテリアルを使用することと
を含む方法。
【請求項４】
バリデーション・データがメディアのバリデーション・エリア（ＶＡ）領域に存在するかどうかを判定することによって、暗号化されたコンテンツを有するメディアがバリデーテッド・メディアであるかどうかを判定すること、
メディアがバリデーテッド・メディアである場合に、
バリデーション・データからキーイング・マテリアルを導出することによって、暗号化されたコンテンツの解読に使用されるキーイング・マテリアルを判定し、その後にキーイング・マテリアルを検証すること、
バリデーション・データとキーイング・マテリアルとが対応するかどうかを判定し、バリデーション・データがキーイング・マテリアルに対応する場合に、キーイング・マテリアルを検証することと
の１つを実行することと
を含む方法。
【請求項５】
少なくとも１つのプロセッサと、
命令をその上にエンコードされた機械可読メディアと
を含み、前記命令が、プロセッサによって実行される時に、プロセッサに、
バリデーション・データがメディアのバリデーション・エリア（ＶＡ）領域に存在するかどうかを判定することによって、暗号化されたコンテンツを有するメディアがバリデーテッド・メディアであるかどうかを判定し、
メディアがバリデーテッド・メディアである場合に、
バリデーション・データからキーイング・マテリアルを導出することによって、暗号化されたコンテンツの解読に使用されるキーイング・マテリアルを判定し、その後にキーイング・マテリアルを検証すること、
バリデーション・データとキーイング・マテリアルとが対応するかどうかを判定し、バリデーション・データがキーイング・マテリアルに対応する場合に、キーイング・マテリアルを検証することと
の１つを実行するように指示する装置。
【請求項６】
暗号化されたコンテンツと、
キーイング・マテリアルと、
メディアのバリデーション・エリア（ＶＡ）領域に書き込まれたバリデーション・データであって、キーイング・マテリアルの真正性を検証するのに使用される、バリデーション・データと
を含む装置。
【請求項７】
バリデーション・データがメディアのバリデーション・エリア（ＶＡ）領域に存在するかどうかを判定する第１モジュールであって、メディアが、メディアの暗号化されたコンテンツを解読するキー・マテリアルを有し、バリデーション・データが、キーイング・マテリアルの真正性を検証するのに使用される、第１モジュールと、
第２モジュールであって、バリデーション・データがＶＡ領域に存在する場合に、
暗号化されたコンテンツを解読するのに、メディアのＶＡ領域から導出されたキーイング・マテリアルを使用すること、
バリデーション・データとキーイング・マテリアルとの間の対応を見つけ、対応が見つかる場合に、暗号化されたコンテンツを解読するのにキーイング・マテリアルを使用することと
の１つを実行することによって、メディアを処理する第２モジュールと
を含む装置。
【手続補正書】
【提出日】平成16年3月16日(2004.3.16)
【手続補正１】
【補正対象書類名】特許請求の範囲
【補正対象項目名】全文
【補正方法】変更
【補正の内容】
【特許請求の範囲】
【請求項１】
ａ．第１の面（１１８）および第２の面（１２０）を有する透明な本体（１０２）と、
ｂ．少なくとも１つの凸状の曲面部（１２２）を有する前記透明な本体の第２の面（１２０）であって、前記凸曲面部（１２２）の各々は前記第１の面（１１８）に垂直な少なくとも１つの軸を有し、前記透明な本体（１０２）の前記第１の面（１１８）に対する内面が反射する導電性の金属皮膜（１２４）を有する、前記透明な本体の第２の面（１２０）と、
ｃ．側壁（２２２）および底（２２４）を有し、前記底（２２４）が反射曲面を有する、発光源（２５２）を受け入れるように設けられた各凸曲面部（１２２）内の空洞（１７０）と、
ｄ．前記発光源（２５２）によって放射された光がその反射面により前記凸曲面部（１２２）上の前記内面が反射する導電性の金属皮膜（１２４）に向けて反射されるように向けられている、各空洞の底（２２４）の反射面と、
を含むランプアセンブリ。  
【請求項２】
前記透明の本体（１０２）の前記第２の面（１２０）が複数の凸曲面部を有する請求項１のランプアセンブリ。
【請求項３】
各凸曲面部に蒸着された前記内面が反射する導電性の金属皮膜（１２４）が各発光源（２５２）に電気を供給する電気回路の一部を構成する請求項１または２のランプアセンブリ。
【請求項４】
前記金属皮膜（１２４）が少なくとも２つの電気的に分離された領域に蒸着され、分離され電気的に絶縁された領域が各発光源（２５２）の少なくとも１つの接続されている請求項１のランプアセンブリ。
【請求項５】
前記透明な本体（１０２）の前記凸曲面部（１２２）に蒸着された前記金属皮膜（１２４）が導電性も有する請求項２のランプアセンブリ。
【請求項６】
隣接する凸曲面部（１２２）も、隣接する凸曲面部（１２２）の間の前記透明な本体（１０２）の前記第２の面（１２０）に蒸着された金属皮膜（１２４）により電気的に接続されている請求項５のランプアセンブリ。
【請求項７】
隣接する凸曲面部（１２２）上およびそれらの間に蒸着された前記反射する導電性の金属皮膜（１２４）が各発光源（２５２）の１つまたはそれ以上のリードと共に電気回路の一部を構成している請求項６のランプアセンブリ。
【請求項８】
前記金属皮膜（１２４）が少なくとも２つの電気的に分離された領域に蒸着され、分離され電気的に絶縁された領域が各発光源（２５２）の少なくとも１つのリードに接続されている請求項７のランプアセンブリ。
【請求項９】
少なくとも４つの電気的に絶縁された領域を有する請求項５のランプアセンブリ。
【請求項１０】
電気的に絶縁された領域がリブ（１３０）によって隔てられている請求項４、８、または９のランプアセンブリ。
【請求項１１】
ａ．第１の面（１１８）および第２の面（１２０）を有する透明な本体（１０２）と、
ｂ．発光源（２５２）を受け入れるように設けられた、前記第２の面（１２０）中の少なくとも１つの空洞（１７０）と、
ｃ．前記発光源（２５２）の１つまたはそれ以上のリードと共に電気回路の一部を構成する、前記透明の本体（１０２）の前記第２の面（１２０）に蒸着された反射する導電性の金属皮膜（１２４）と、
を含むランプアセンブリ。
【請求項１２】
前記金属皮膜（１２４）が少なくとも２つの電気的に分離された領域に蒸着され、前記分離され電気的に絶縁された領域が各発光源（２５２）の各リードに接続されている請求項１１のランプアセンブリ。
【請求項１３】
前記金属皮膜（１２４）が真空蒸着された金属粉である請求項１１のランプアセンブリ。
【請求項１４】
光源（２５２）により放射された光を、前記光源（２５２）に面して配置された第１の反射面で、凹形の第２の反射面に向けて反射し、前記凹形の第２の反射面がさらにその光を前記発光源（２５２）とほぼ同じ方向に反射することを含み、凹形の第２の反射面は、導電性でもあり、前記光源（２５２）に電力を供給する電気回路の一部を構成する、光源（２５２）からの光を拡散するための方法。
【請求項１５】
前記第１の反射面がほぼ円錐形である請求項１４の方法。
【請求項１６】
前記第１の反射面がランプ体中の空洞の底に反射金属粉を蒸着することにより形成される請求項１４の方法。
【請求項１７】
前記凹形の第２の反射面がランプ体（１０２）の湾曲した面（１２０）に反射金属粉を蒸着することにより形成される請求項１４または１６の方法。
【請求項１８】
ａ．第１の面（１１８）および第２の面（１２０）を有し、前記第２の面（１２０）は１つまたはそれ以上の凸曲面（１２２）を有する、透明な本体（１０２）を形成するステップと、
ｂ．少なくとも１つの第１の面（１１８）に垂直な軸を有する、少なくとも１つの凸曲面部（１２２）を形成するステップと、
ｃ．各凸曲面部（１２２）に、側壁（２２２）と底（２２４）を有する、光源（２５２）を受け入れるように設けられた、空洞（１７０）を形成するステップと、
ｄ．前記凸曲面部（１２２）が透明な本体（１０２）の第１の面（１１８）に面する内側反射曲面を有するように、凸曲面部（１２２）に金属皮膜（１２４）を真空蒸着するステップと、
ｅ．前記空洞（１７０）の前記底（２２４）に金属皮膜（１２４）を蒸着するステップと、
ｆ．光源により放射された光の少なくとも一部が前記空洞の前記底の前記反射物質により前記内側反射曲面を形成する前記金属皮膜（１２４）に向けて反射され、次に前記透明な本体（１０２）の前記第１の面（１１８）に向けて反射されるように、前記空洞（１７０）の中に前記空洞（１７０）の前記底（２２４）の前記反射物質に向けて前記光源（２５２）を取り付けるステップと、
を含む光源からの光を拡散するための方法。
【請求項１９】
前記透明な本体（１０２）、少なくとも１つの凸曲面部（１２２）、および各凸曲面部（１２２）中の１つの空洞（１７０）が一回の射出成形ステップで行われる請求項１８の方法。
【請求項２０】
前記凸曲面部（１２２）および前記空洞（１７０）の前記底（２２４）への前記金属皮膜（１２４）の前記蒸着が一回の真空蒸着ステップで行われる請求項１８の方法。
【請求項２１】
前記内側反射曲面を形成する前記金属皮膜（１２４）が導電性でもある請求項１８の方法。
【請求項２２】
前記内側反射曲面上に蒸着された前記金属皮膜（１２４）が前記光源（２５２）の１つまたはそれ以上のリードとともに電気回路の一部を構成している請求項２１の方法。
【請求項２３】
前記金属皮膜（１２４）が少なくとも２つの電気的に分離された部分に蒸着され、分離され電気的に絶縁された領域が各発光源（２５２）の少なくとも１つのリードに接続されている請求項２２の方法。
【請求項２４】
前記電気的に分離された領域が１つまたはそれ以上のリブ（１３０）によって隔てられている請求項２３の方法。
【請求項２５】
前記電気的に分離された領域が１つまたはそれ以上のリブ（１３０）によって隔てられている請求項１２のランプアセンブリ。
【請求項２６】
前記第１の反射曲面及び前記凹面の第２の反射曲面上への前記金属粉の真空蒸着が真空蒸着ステップにおいて実行される請求項１７の方法。
【手続補正書】
【提出日】平成16年11月25日(2004.11.25)
【手続補正１】
【補正対象書類名】特許請求の範囲
【補正対象項目名】請求項１２
【補正方法】変更
【補正の内容】
【請求項１２】
支持フレームアセンブリに隣接するマニホールドのそれぞれは、
中央領域と、フランジ領域とを有し、
該フランジ領域は、関連フレームアセンブリの垂直部材に隣接した垂直辺のそれぞれに沿って、前記燃料電池スタックの関連側面の対応する垂直辺を超えて延伸した垂直延伸部を有し、
被支持フレームアセンブリに隣接するマニホールドのそれぞれは、
中央領域と、フランジ領域とを有し、
該フランジ領域の垂直部位が、支持フレームアセンブリに隣接したマニホールドの垂直延伸部に延伸するよう、該中央領域は、前記燃料電池スタック関連側面の辺を超えて延伸している、請求項２に記載のマニホールド及びマニホールド・シーリング・アセンブリ。
【手続補正２】
【補正対象書類名】特許請求の範囲
【補正対象項目名】請求項１３
【補正方法】変更
【補正の内容】
【請求項１３】
支持フレームアセンブリに隣接するマニホールドのそれぞれは、
中央領域と、フランジ領域とを有し、
該フランジ領域は、関連フレームアセンブリの垂直部材に隣接した垂直辺のそれぞれに沿って、前記燃料電池スタックの関連側面の対応する垂直辺を超えて延伸した垂直延伸部を有し、
被支持フレームアセンブリに隣接するマニホールドのそれぞれは、
中央領域と、フランジ領域とを有し、
該フランジ領域の垂直部位が、支持フレームアセンブリに隣接したマニホールドの垂直延伸部に延伸するよう、該中央領域は、前記燃料電池スタック関連側面の辺を超えて延伸している、請求項１に記載のマニホールド及びマニホールド・シーリング・アセンブリ。
【手続補正３】
【補正対象書類名】特許請求の範囲
【補正対象項目名】請求項２０
【補正方法】変更
【補正の内容】
【請求項２０】
燃料電池システムであって、
複数の側面を有した燃料電池スタックと、
前記燃料電池スタックに用いられるマニホールド及びマニホールドシーリングアセンブリとを含み、
該マニホールド及びマニホールドシーリングアセンブリは、前記燃料電池スタックの側面にそれぞれ隣接して配置された複数のフレームアセンブリと、フレームアセンブリに隣接してそれぞれ配置された複数のマニホールドとを含み、一以上の前記フレームアセンブリは、支持フレームアセンブリであり、一以上の前記フレームアセンブリのそれぞれは、被支持フレームアセンブリであり、各支持フレームアセンブリは、支持フレームアセンブリと面した前記燃料電池スタックの側面の隣接側面に面した被支持フレームアセンブリの一部を支持し、一以上の支持フレームアセンブリのそれぞれは、一以上の垂直部材を備え、各垂直部材は、前記燃料電池スタックの関連側面の垂直辺に隣接して配置されており、一以上の被支持フレームアセンブリのそれぞれは、前記燃料電池スタックの関連側面の上側端部に隣接して配置された上側水平部材と、該関連側面の下側端部に隣接して配置された下側水平部材とを有し、支持フレームアセンブリの一以上の前記垂直部材のそれぞれは、該支持フレームアセンブリによって支持されている被支持フレームアセンブリの上側水平部材を支持する上側端部と、該被支持フレームアセンブリの下側水平部材を支持する下側端部とを有し、一以上の前記支持フレームアセンブリのそれぞれは、前記燃料電池スタック関連側面の上側端部に隣接して配置された上側水平部材と、該関連側面の下側端部に隣接して配置された下側水平部材とを有し、一以上の前記支持フレームアセンブリのそれぞれの一以上の前記垂直部材の上側端部と下側端部は、それぞれ前記支持フレームアセンブリの上側水平部材と下側水平部材とを支持し、前記複数のマニホールドのうち少なくとも一つは、支持フレームアセンブリに隣接して配置され、前記複数のマニホールドのうち少なくとも一つは、前記支持フレームアセンブリによって支持される前記被支持フレームアセンブリに隣接して配置され、前記支持フレームアセンブリに隣接した前記マニホールドのそれぞれと、前記支持フレームアセンブリによって支持される前記被支持フレームアセンブリに隣接した前記マニホールドは、各マニホールドの垂直辺に沿って相互にシーリング係合を成す、燃料電池システム。
【手続補正４】
【補正対象書類名】明細書
【補正対象項目名】０００５
【補正方法】変更
【補正の内容】
【０００５】
とりわけ、図２に示されているように、燃料電池アセンブリ１１のそれぞれには、カソード電極１２、波状のカソード集電体１３、バイポーラ・プレート１４、波状のアノード集電体１５、及びアノード電極１６が含まれている。バイポーラ・プレート１４には、端部フラップ１４Ａが各端部に設けられており、これにより、米国特許第５，７７３，１６１号、米国特許第５，３９９，４３８号、及び米国特許第４，５１４，４７５号において議論されているような平坦なシーリング面が提供される。
【手続補正５】
【補正対象書類名】明細書
【補正対象項目名】００１８
【補正方法】変更
【補正の内容】
【００１８】
図３は、本発明の原理に従ったマニホールド及びマニホールド・シーリング・アセンブリ３１を採用した燃料電池スタック２１を示した図である。燃料電池スタック２１には、交互に積層された複数の燃料電池アセンブリ５２が備えられており、燃料電池アセンブリ５２の各組の間には燃料電池マトリックス５３が介装されている。端部プレート５４及び５５は、最上位のアセンブリ５２の上側と、最下位のアセンブリ５２の下側に配置されている。
【手続補正６】
【補正対象書類名】明細書
【補正対象項目名】００１９
【補正方法】変更
【補正の内容】
【００１９】
図５から見てわかるように、各アセンブリ５２は、図２に示された従来のアセンブリ１１Ａと同様であり、積層配置されたカソード電極５２Ａ、波状のカソード集電体５２Ｂ、バイポーラ・プレート５２Ｃ、波状のアノード集電体５２Ｄ及びアノード電極５２Ｅが含まれている。このケースで、これらの構成要素は矩形であり、従って、燃料電池アセンブリ５２も矩形の構成をしている。
【手続補正書】
【提出日】平成16年8月19日(2004.8.19)
【手続補正１】
【補正対象書類名】明細書
【補正対象項目名】特許請求の範囲
【補正方法】変更
【補正の内容】
【特許請求の範囲】
【請求項１】  ２つまたはそれ以上の光ファイバとアレイ導波路とのアライメントを行う方法であって、
エッチングでアレイ導波路に溝を形成することと、
２つまたはそれ以上の光ファイバを溝の中に入れ、２つまたはそれ以上の光ファイバをまとめることと
光ファイバの屈折率に実質的に一致する屈折率を有するゲルを光ファイバとアレイ導波路の間に設けることを含む方法。
【請求項２】  ２つまたはそれ以上の光ファイバと基板内のチャネルとのアライメントを行う方法であって、
エッチングで基板内に溝を形成することと、
２つまたはそれ以上の光ファイバを基板内の溝に入れ、２つまたはそれ以上の光ファイバを互いから所定の距離だけ離して保持するリテーナで２つまたはそれ以上の光ファイバを取り付けることと
光ファイバの屈折率に実質的に一致する屈折率を有するゲルを光ファイバとアレイ導波路の間に設けることを含む方法。
【請求項３】  デバイスであって、
チャネルが内部を通っているアレイ導波路であって、アレイ導波路の縁にエッチングでＶ溝が形成されているアレイ導波路と、
アレイ導波路のＶ溝内に置かれている複数の光ファイバと、
アレイ導波路との間で複数の光ファイバを挟むリテーナであって、Ｖ溝がアレイ導波路のＶ溝と対応しているリテーナと、
光ファイバとアレイ導波路の間に設けた、光ファイバの屈折率に実質的に一致する屈折率を有するゲルとを備えるデバイス。
【手続補正書】
【提出日】平成16年5月25日(2004.5.25)
【手続補正１】
【補正対象書類名】明細書
【補正対象項目名】０１０８
【補正方法】変更
【補正の内容】
【０１０８】
【図１】本発明の実施例による対話式装置のベースユニットの平面図である。
【図２】本発明の一実施例による対話式装置を示す図である。
【図３】本発明の別の実施例による対話式装置を示す図である。
【図４】本発明の実施例に使用することができる幾つかの構成部品のブロック図である。
【図５】スイッチのアレイの電気回路図である。
【図６】スイッチのアレイ内のスイッチのグループの下側部分の上面図である。
【図７】スイッチに圧力が加えられた時のスイッチの一部分の断面図である。
【図８】本発明の更に別の実施例による対話式装置を示す図である。この実施例の取外し可能なテンプレートは、印刷要素を有するシートを露出させる窓を有している。
【図９（ａ）】取外し可能なテンプレートの側面図である。
【図９（ｂ）】図９（ａ）に示す取外し可能なテンプレートが開いた位置にある時の上面図である。
【図９（ｃ）】ガスケットを有する取外し可能なテンプレートの一部を示す図である。
【図１０】本発明の実施例によるシステムのブロック図である。
【図１１−１】本発明の実施例に使用することができるスクリプト表である。
【図１１−２】本発明の実施例に使用することができるスクリプト表である。
【図１１−３】本発明の実施例に使用することができるスクリプト表である。
【手続補正２】
【補正対象書類名】図面
【補正対象項目名】全図
【補正方法】変更
【補正の内容】
【図１】
2004522205.tif 000001
【図２】
2004522205.tif 000002
【図３】
2004522205.tif 000003
【図４】
2004522205.tif 000004
【図５】
2004522205.tif 000005
【図６】
2004522205.tif 000006
【図７】
2004522205.tif 000007
【図８】
2004522205.tif 000008
【図９（ａ）】
2004522205.tif 000009
【図９（ｂ）】
2004522205.tif 000010
【図９（ｃ）】
2004522205.tif 000011
【図１０】
2004522205.tif 000012
【図１１−１】
2004522205.tif 000013
【図１１−２】
2004522205.tif 000014
【図１１−３】
2004522205.tif 000015
【手続補正書】
【提出日】平成17年3月8日(2005.3.8)
【手続補正１】
【補正対象書類名】明細書
【補正対象項目名】特許請求の範囲
【補正方法】変更
【補正の内容】
【特許請求の範囲】
【請求項１】  基板を有する電子機器のキーボードまたはキーパッドに用いられる発光性キーであって、前記基板が、キーボードの使用者に面する第１面および対向する第２面、および該基板の第２面の層に面して配置される複数の導電体を有し、前記基板が充填層をその中に有する複数の凹所を備え、前記発光性キーが、
第１の面および対向する第２の面を有する第１電極層であって、該第１電極層の第１の面が、その中の充填層に隣接する凹所のうちの１つの前記基板の第２面に面して設けられてなる第１電極層、
第１の面および対向する第２の面を有する有機発光層であって、該有機発光層の第１の面が前期凹所のうちの１つの前記第１電極層の第２の面に面して設けられてなる有機発光層、
第１の面および対向する第２の面を有する第２電極層であって、該第２電極層の第１の面が前記有機発光層の第２の面に面して設けられてなる第２電極層、および
前記第２電極層の第２の面に隣接して設けられたガス封じ層であって、前記発光層を保護するために少なくとも１種のガスを含むために当該ガス封じ層と発光層とのあいだに空所を形成するガス封じ層 
からなり、前記第１および第２電極層を電源に動作可能なように接続し前記有機発光層を作動させるために、前記第１電極層および第２電極層が前記導電体に電気的に接続されてなる発光性キー。
【請求項２】  前記ガスがチッ素である請求項１記載の発光性キー。
【請求項３】  前記ガスがアルゴンである請求項１記載の発光性キー。
【請求項４】  前記第１電極層が透明である請求項１記載の発光性キー。
【請求項５】  前記有機発光層が複数の発光セグメントからなり、前記第１電極層および第２電極層が、前記発光セグメントを選択的に作動させるために複数の電極からなる請求項１記載の発光性キー。
【請求項６】  前記有機発光層が作動されたときに光を発し、前記発光性キーが前記基板上に設けられるマスキング層をさらに含んでおり、該マスキング層が、パターンを形成するために透明領域と不透明領域を有しており、有機発光層により発せられた光が前記パターンを通過し得る請求項１記載の発光性キー。
【請求項７】  前記パターンがアルファベット文字と数字の記号からなる請求項６記載の発光性キー。
【請求項８】  前記有機発光セグメントが作動されたときに光を発し、前記発光性キーが前記基板上に設けられるマスキング層をさらに含んでおり、該マスキング層が、パターンを形成するために透明領域と不透明領域を有しており、有機発光層により発せられた光が前記パターンを通過し得る請求項５記載の発光性キー。
【請求項９】  前記パターンが複数の記号からなっており、前記有機発光セグメントが、前記記号の少なくとも１つを通過する光を発するために選択的に作動される請求項８記載の発光性キー。
【請求項１０】  基板を有する電子機器のキーボードに用いられる発光性キーの製法であって、キーボードの使用者に面する第１面および対向する第２面、および該基板の第２面の層に面して配置される複数の導電体を有し、前記基板が充填層をその中に有する複数の凹所を備え、前記製法が、
その中の充填層に隣接する凹所のうちの１つの該基板の第２の面上に第１電極層を設ける工程、
前期凹所のうちの１つの該第１電極層上に有機発光層を設ける工程、
該有機発光層上に第２電極層を設ける工程、
該第２電極層に隣接するガス封じ層を設け、前記発光層とガス封じ層とのあいだに空所を形成する工程、および
有機発光層を保護するために前記空所内に少なくとも１種のガスを含ませ、前記有機発光層を作動させるために、前記第１電極層および第２電極層が動作可能なように接続するように前記導電体に電気的に接続されてなる工程
からなる発光性キーの製法。
【請求項１１】  前記有機発光層を作動させるために、前記第１電極層および第２電極層に電源との接続部を設ける工程をさらに含む請求項１０記載の製法。
【請求項１２】  前記有機発光層が複数の発光セグメントからなり、前記第１電極層および第２電極層が、前記発光セグメントを選択的に作動させるために複数の電極からなる請求項１０記載の製法。
【請求項１３】  前記基板上にマスキング層を設ける工程をさらに含んでおり、該マスキング層が、パターンを形成するために透明領域と不透明領域を有しており、有機発光層により発せられた光が前記パターンを通過し得る請求項１０記載の製法。
【手続補正書】
【提出日】平成16年11月1日(2004.11.1)
【手続補正１】
【補正対象書類名】明細書
【補正対象項目名】００１６
【補正方法】変更
【補正の内容】
【００１６】
思いかけず、アルミナ、シリカおよび酸化ビスマスを添加すると、サイクル寿命の良好な非毒性亜鉛電極が調製できることが見出されている。８０−９９％の酸化アルミニウムと１−２０％のシリカの組成を有する無機ファイバを使用して亜鉛電極を作製すると、良好な容量維持および形状変化に対する優れた耐性が達成される。そのようなとき、酸化亜鉛電極の２から１５重量％の範囲の無機ファイバ添加剤を含み、さらに２％から１０％までの酸化ビスマスを含む電極は効果的であることがわかっている。
【手続補正書】
【提出日】平成17年4月27日(2005.4.27)
【手続補正１】
【補正対象書類名】特許請求の範囲
【補正対象項目名】全文
【補正方法】変更
【補正の内容】
【特許請求の範囲】
【請求項１】
発光領域を含む有機発光素子であって、
前記発光領域が、ホスト材料と複数の発光ドーパントとを含み、
前記発光領域が、複数のバンドを含み、各発光ドーパントが前記発光領域内の独立したバンドにドープされていて、発光ドーパントの少なくとも１つが分子の三重項励起状態からのリン光により発光し、しかも複数の発光ドーパントの複合発光が、白色発光をもたらすのに十分に可視スペクトルにわたっているか、又は、
前記発光領域が、陽極と陰極との間に位置し、前記ホスト材料、前記複数の発光ドーパント及び２つ若しくは３つのバンドを含み、各発光ドーパントが発光領域内の独立したバンドにドープされており、しかも発光ドーパントの少なくとも２つが分子の三重項励起状態からのリン光により発光する、
上記有機発光素子。
【請求項２】
前記発光領域が、２つ若しくは３つのバンドを含み、各発光ドーパントが発光領域内の独立したバンドにドープされており、しかも発光ドーパントの少なくとも２つが分子の三重項励起状態からのリン光により発光し、複数の発光ドーパントの複合発光が、白色発光をもたらすのに十分に可視スペクトルにわたっている、請求項１に記載の素子。
【請求項３】
複合発光が少なくとも約８０の演色評価数を有する、請求項１又は２に記載の素子。
【請求項４】
複合発光が少なくとも約７０の演色評価数を有する、請求項１から３のいずれか一項に記載の素子。
【請求項５】
各発光ドーパントがリン光により発光する、請求項１から４のいずれか一項に記載の素子。
【請求項６】
発光ドーパントがリン光性有機金属化合物である、請求項１から５のいずれか一項に記載の素子。
【請求項７】
発光ドーパントが最高三重項エネルギー、中間三重項エネルギー、最低三重項エネルギーの順序で配列している、請求項５又は６に記載の素子。
【請求項８】
発光ドーパントが最高三重項エネルギー、最低三重項エネルギー、中間三重項エネルギーの順序で配列している、請求項５又は６に記載の素子。
【請求項９】
発光領域を含む少なくとも２つのバンドが、励起子阻止層によって隔てられている、請求項１から８のいずれか一項に記載の素子。
【請求項１０】
さらに陽極、陰極、発光領域、少なくとも１つの正孔輸送層、電子輸送層、励起子阻止層及び正孔注入層を含み、前記発光領域が、ホスト材料及び複数の発光ドーパントを含む、請求項１から９のいずれか一項に記載の素子。
【手続補正書】
【提出日】平成17年1月31日(2005.1.31)
【手続補正１】
【補正対象書類名】特許請求の範囲
【補正対象項目名】全文
【補正方法】変更
【補正の内容】
【特許請求の範囲】
【請求項１】
（ａ）前面、背面、及び周縁面を含む本体であって、当該本体はポリマー材料を含み、且つ当該周縁面は開口を含む、本体、
（ｂ）研磨面、
（ｃ）本体を通り抜けて前面から背面まで達する終点検出ポート、及び
（ｄ）終点検出ポート及び周縁面の開口と流体を介して連通する排出路、
を含む研磨ディスク。
【請求項２】
前記排出路が前記前面に露出している、請求項１記載の研磨ディスク。
【請求項３】
前記排出路が前記前面の領域によって覆われている、請求項１記載の研磨ディスク。
【請求項４】
前記排出路が前記背面の領域によって覆われている、請求項３記載の研磨ディスク。
【請求項５】
前記排出路を形成するチューブを更に含む、請求項４記載の研磨ディスク。
【請求項６】
前記排出路が前記ポリマー材料の圧縮性とほぼ等しい圧縮性を有する、請求項１記載の研磨ディスク。
【請求項７】
（ａ）前面、背面、及び周縁面を有する本体であって、当該本体はポリマー材料を含み、且つ当該周縁面は開口を含む、本体を用意すること、
（ｂ）本体上に研磨表面を設けること、
（ｃ）前面から背面まで達する孔を形成して終点検出ポートを設けること、及び
（ｄ）上記孔及び周縁面の開口と流体を介して連通する排出路を本体に形成すること、
を含み、上記本体から研磨ディスクを形成してそれにより研磨ディスクが上記研磨面、上記終点検出ポート、及び上記排出路を含むようにする、研磨ディスク製造方法。
【手続補正書】
【提出日】平成16年12月2日(2004.12.2)
【手続補正１】
【補正対象書類名】特許請求の範囲
【補正対象項目名】請求項１
【補正方法】変更
【補正の内容】
【請求項１】
内部にキャビティを有する滅菌室と、
加圧された流体を受け取り、流体のスプレーをキャビティ内に噴射するノズル
と、放射窓を有する電子ビーム発生器であって、前記滅菌室に取り付けられており、電子ビームを前記放射窓を介して滅菌室のキャビティに放出して流体のスプレーを照射する電子ビーム発生器とを備え、
前記ノズルおよび前記キャビティが、前記流体のスプレーを前記放射窓に対して近接させて、かつほぼ平行に噴射するように構成されている流体滅菌装置。
【手続補正２】
【補正対象書類名】特許請求の範囲
【補正対象項目名】請求項９
【補正方法】変更
【補正の内容】
【請求項９】
内部にキャビティを有する滅菌室と、
加圧された流体を受け取り、薄い、平坦な膜である、流体のスプレーをキャビティ内に噴射するノズルと、
放射窓を有する電子ビーム発生器であって、前記滅菌室に取り付けられて、電子ビームを前記放射窓を介して前記滅菌室のキャビティ内に放射することにより、流体のスプレーを照射する電子ビーム発生器とを備え、
前記ノズルおよび前記キャビティが、前記流体のスプレーを前記放射窓に対して近接させて、かつほぼ平行に噴射するように構成されている流体滅菌装置。
【手続補正３】
【補正対象書類名】特許請求の範囲
【補正対象項目名】請求項１４
【補正方法】変更
【補正の内容】
【請求項１４】
内部にキャビティを有する滅菌室を設けるステップと、
加圧された流体を受け取り、その流体のスプレーをキャビティ内に噴射するノズルを形成するステップと、
電子ビーム発生器を前記滅菌室に取り付けるステップと、を含み、
前記電子ビーム発生器が放射窓を有し、その放射窓を介して電子ビームを滅菌室のキャビティ内に放射して流体のスプレーを照射し、前記ノズルおよび前記キャビティが流体のスプレーを放射窓に対して近接させて、かつほぼ平行に噴射するように構成されている流体滅菌装置を形成する方法。
【手続補正４】
【補正対象書類名】特許請求の範囲
【補正対象項目名】請求項２２
【補正方法】変更
【補正の内容】
【請求項２２】
ノズルアセンブリからの加圧された流体のスプレーを滅菌室のキャビティ内に噴射するステップと、
前記滅菌室に取り付けられた電子ビーム発生器からの電子のビームにより前記流体のスプレーを照射するステップとを含み、
前記電子ビーム発生器は、電子ビームが通過して放射される放射窓を有し、前記ノズルおよび前記キャビティが流体のスプレーを放射窓に対して近接させて、かつほぼ平行に噴射するように構成されている、流体を滅菌する方法。
【手続補正書】
【提出日】平成16年4月13日(2004.4.13)
【手続補正１】
【補正対象書類名】特許請求の範囲
【補正対象項目名】全文
【補正方法】変更
【補正の内容】
【特許請求の範囲】
【請求項１】
生体プロテーゼ装置において、
第１の表面を有している一定のＥＣＭ材料の層、および
第１の表面を有している一定の三次元的な合成部分を備えており、
前記ＥＣＭ層の第１の表面が前記三次元的な合成部分の第１の表面に連結している生体プロテーゼ装置。
【請求項２】
前記ＥＣＭ層が一定のＳＩＳ層を含む請求項１に記載の生体プロテーゼ装置。
【請求項３】
前記ＳＩＳ層が一体に積層化されている幾つかのＳＩＳ部材片を含む請求項２に記載の生体プロテーゼ装置。
【請求項４】
前記三次元的な部分が一定の繊維質材料を含む請求項１に記載の生体プロテーゼ装置。
【請求項５】
前記繊維質材料がメッシュ材料、織物、およびフェルト材料から成る群から選択される請求項４に記載の生体プロテーゼ装置。
【請求項６】
前記繊維質材料がＰＬＡ、ＰＧＡ、ＰＣＬ、ＰＤＯ、ＴＭＣ、ＰＶＡ、これらのコポリマー、およびこれらの混合物から成る群から選択される一定の生体吸収性の材料である請求項４に記載の生体プロテーゼ装置。
【請求項７】
前記三次元的な部分が一定の合成発泡体を含む請求項１に記載の生体プロテーゼ装置。
【請求項８】
前記ＥＣＭ層が孔あけ処理されており、前記合成発泡体が前記ＥＣＭ層の中の各孔の中に侵入している請求項７に記載の生体プロテーゼ装置。
【請求項９】
さらに、一定の生体活性物質、一定の生物学的に誘導されている物質、一定の細胞、一定の生物学的な潤滑剤、一定の生体相容性の無機材料、および一定の生体相容性の合成ポリマーから成る群から選択される一定の付加的な外因性の物質を含有している請求項１に記載の生体プロテーゼ装置。
【請求項１０】
前記ＥＣＭ材料が胃、膀胱、消化管、呼吸器、および生殖器の粘膜下組織および肝臓基底膜から選択される材料の一定の層を含む請求項１に記載の生体プロテーゼ装置。
【請求項１１】
１種類以上の三次元的な合成の本体部分に連結して組織の結合、補強、または再構成のための一定の三次元的な複合材料を形成するための生体再造形可能な膠原性の組織材料の１個以上の層を備えているプロテーゼ装置。
【請求項１２】
一定の生体プロテーゼ装置を作成するための方法において、
第１の表面を有する一定のＥＣＭ材料の層を供給する工程、
一定のポリマー溶液を前記ＥＣＭ材料の第１の表面に接触させて配置することにより一定の組立体を作成する工程を含み、前記ポリマーが凍結乾燥時に一定の発泡体を形成するように選択され、さらに
前記組立体を凍結乾燥する工程を含む方法。
【請求項１３】
前記ＥＣＭ材料が一体に積層化されている複数のＳＩＳ層を含む請求項１２に記載の方法。
【請求項１４】
前記ポリマー溶液がＰＣＬ、ＰＬＡ、ＰＧＡ、ＰＤＯ、ＴＭＣ、ＰＶＡ、これらのコポリマー、およびこれらの混合物から成る群から選択される請求項１２に記載の方法。
【手続補正書】
【提出日】平成16年12月22日(2004.12.22)
【手続補正１】
【補正対象書類名】明細書
【補正対象項目名】特許請求の範囲
【補正方法】変更
【補正の内容】
【特許請求の範囲】
【請求項１】
外面及びリップと、
ほぼ球形を有する空洞を形成する内面とを有するとともにインプラントステムのヘッドを受け入れるように構成されたインプラント構造部材を備え、
前記内面が、さらにウェブを有し、
ウェブが、インプラント構造部材のリップの一部分のみの辺りに広がり、インプラント構造部材の空洞のほぼ球状に形成された内面に続く内面を有し、インプラントステムの外面にほぼ対応するように形成され、
ウェブは、インプラントステムヘッドが第１の方向に向けられるときにインプラントステムヘッドが構造部材の空洞に挿入されるのを可能にするように構成されているとともに、インプラントステムヘッドが第２の方向に向けられるとともにステムに取り付けられるときにインプラントステムヘッドが第１の方向に向けられないように空洞内でインプラントステムヘッドを拘束するように構成されたインプラント。
【請求項２】
インプラントステムヘッドがインプラント構造部材に対して関節でつながるとき、ウェブの内面がインプラントステムヘッドと協働するように形成される請求項１のインプラント。
【請求項３】
インプラントステムヘッドが第１の方向にあるときにインプラントステムヘッドがインプラント構造部材に挿入されることを可能にするウェブに対応して形成された面を有するほぼ球状のボディと、大腿骨構成部品を受け入れるための空洞とを有するインプラントステムヘッドをさらに備える請求項１又は２に記載のインプラント。
【請求項４】
インプラントステムヘッドに結合されるように構成された大腿骨構成部品をさらに備える請求項３のインプラント。
【請求項５】
寛骨臼に結合されるように構成されるとともにインプラント構造部材を受け入れるように構成された寛骨臼カップをさらに備える請求項４のインプラント。
【請求項６】
寛骨臼によって受け入れられるように構成され、第１のインプラント構造部材を受け入れるように構成された空洞を有し、第２のインプラント構造部材の外面に空洞への出入りを可能にする少なくとも１つの開口を有する第２のインプラント構造部材をさらに備える請求項４のインプラント。
【請求項７】
ウェブがほぼＤ形の開口を形成する請求項１から６のいずれか１つに記載のインプラント。
【請求項８】
ウェブがカーブしたエッジで構成される請求項１から６のいずれか１つに記載のインプラント。
【請求項９】
インプラント構造部材がセラミックで構成される請求項１から８のいずれか１つに記載のインプラント。
【請求項１０】
ウェブが、インプラント構造部材の内面を形成する曲率半径に等しい曲率半径を有する内面を備える請求項１から６のいずれか１つに記載のインプラント構造部材。
【請求項１１】
ウェブが患者内で上方に配置されることができる請求項１から６のいずれか１つに記載のインプラント。
【請求項１２】
インプラントステムヘッドがインプラント構造部材の中に配置されるとき、インプラントステムヘッドの中心点がインプラント構造部材の中心点と同じ位置でない請求項１から３のいずれか１つに記載のインプラント。
【請求項１３】
インプラントステムヘッドがセラミックで構成される請求項１から１２のいずれか１つに記載のインプラント。
【請求項１４】
インプラントステムヘッドの空洞が、ウェブに対応するように構成されるインプラントステムヘッドの面に配置される開口を備える請求項３のインプラント。
【請求項１５】
寛骨臼に受け入れられるように構成された第２のインプラント構造部材をさらに備える請求項３のインプラント。
【請求項１６】
第２のインプラント構造部材が、第１ののインプラント構造部材を受け入れるように構成されるとともに第２のインプラント構造部材の外面にあって空洞への出入りを可能にする少なくとも１つの開口を有する空洞を備える請求項１５のインプラント。